(57)【要約】      （修正有）【課題】回転電機の冷却構成の提供。【解決手段】第１の半環状周面と第２の半環状周面を備える環状周面を有するスリーブ１０と、複数の流路を形成するように、互いに平行してスリーブ１０の環状周面に設置される複数の分流壁２０と、複数の第１の分流領域を形成するように、それぞれ第１の半環状周面における対応する分流壁の間に設置される複数の第１のストッパ壁４０と、複数の第２の分流領域を形成するように、それぞれ第２の半環状周面における対応する分流壁２０の間に設置される複数の第２のストッパ壁とを有し、また、それらの第１の分流領域とそれらの第２の分流領域とは非対称的に配置され、非対称的に配置された第１の分流領域と第２の分流領域によって、交差する経路で流れる冷却媒体を提供して、回転電機の放熱効率を向上する回転電機の冷却構成。【選択図】図２
2020014354.tif 000002
【特許請求の範囲】
【請求項１】
第１の半環状周面と第２の半環状周面を備える環状周面を有するスリーブと、
複数の流路を形成するように、互いに平行して前記スリーブの前記環状周面に設置される複数の分流壁と、
複数の第１の分流領域を形成するように、それぞれ前記第１の半環状周面における対応する前記分流壁の間に設置される複数の第１のストッパ壁と、
複数の第２の分流領域を形成するように、それぞれ前記第２の半環状周面における対応する前記分流壁の間に設置される複数の第２のストッパ壁と、を有し、
また、前記第１の分流領域と前記第２の分流領域とは非対称的に配置される回転電機の冷却構成。
【請求項２】
前記第１のストッパ壁の各々は、二つの隣り合う第１の分流領域を連通させる溝を含む請求項１に記載の回転電機の冷却構成。
【請求項３】
前記溝は、弧状の外形を呈する請求項2に記載の回転電機の冷却構成。
【請求項４】
前記溝は、矩形状の外形を呈する請求項2に記載の回転電機の冷却構成。
【請求項５】
前記溝の底面が前記環状周面に平行し、且つ前記溝の二つの対向する側面が互いに平行する請求項2に記載の回転電機の冷却構成。
【請求項６】
入水孔及び出水孔を備え、前記スリーブに嵌着されるハウジングをさらに有し、前記入水孔及び前記出水孔が、それぞれ二つの第１の分流領域に対応して前記ハウジングの両端に設置される請求項１に記載の回転電機の冷却構成。
【請求項７】
前記入水孔に対応する前記第１の分流領域の流路数は、前記出水孔に対応する前記第１の分流領域の流路数より多い請求項６に記載の回転電機の冷却構成。
【請求項８】
前記入水孔に対応する前記第１の分流領域の流路数は、少なくとも前記出水孔に対応する前記第１の分流領域の流路数の１．５倍である請求項７に記載の回転電機の冷却構成。
【請求項９】
前記溝の幅は、少なくとも前記流路の幅の２倍である請求項2に記載の回転電機の冷却構成，。
【請求項１０】
前記流路の深さは、少なくとも前記溝の深さの２倍である請求項2に記載の回転電機の冷却構成。
【発明の詳細な説明】
【技術分野】
【０００１】
本発明は、回転電機に関し、特に回転電機の冷却構成に関する。
【背景技術】
【０００２】
工業自動化技術の急速な発展に伴い、回転電機は様々な複合工作機械での高速回転の加工に広く適用されてきた。回転電機は、ステータコアの鉄損及びコイルの銅損によって熱が発生するので、工作機械の主軸を駆動させる場合、高温による熱変形が加工精度に大きく影響する。したがって、現在の回転電機における放熱設計には、モータケースに冷却流路を設け、冷却液を流入させてケースに直接接触させることにより冷却を行うことがトレンドである。
【０００３】
従来の冷却流路は、互いに交差せず平行するように並設されるらせん状の流路設計があり、長軸の二つの対向端のそれぞれに入水口及び出水口が設けられ、冷却媒体が入水口かららせん状の流路を介して出水口へ流出することにより熱が奪われて、放熱冷却の目的が達成される。しかしながら、上記のらせん状の流路設計は、冷却経路の距離が比較的長く、圧力損失の増加をもたらし、冷却媒体の流速が入水口から出水口まで次第に低下するようにして、冷却効率を低下させる連続流路である。
【０００４】
そこで、如何に冷却流路の設計によって流路内の圧力損失の低下と冷却効率の向上を実現するかことは、回転電機の冷却設計での大きな挑戦になる。
【発明の概要】
【発明が解決しようとする課題】
【０００５】
そこで、本発明の主な目的は、非対称的に配置される第１の分流領域と第２の分流領域によって、交差する経路で流れる冷却媒体を提供して、回転電機の放熱効率を向上する回転電機の冷却構成を提供することにある。なお、各第１の分流領域中の逓減型流路設計により、冷却媒体の出口での流速及び熱対流係数を向上させて、出口での放熱効果を強化させ、モータ全体の放熱をより均一にする。
【０００６】
よって、上記の目的を達成するために、本発明の提供する回転電機の冷却構成は、第１の半環状周面と第２の半環状周面を備える環状周面を有するスリーブと、複数の流路を形成するように、互いに平行してスリーブの環状周面に設置される複数の分流壁と、複数の第１の分流領域を形成するように、それぞれ第１の半環状周面における対応する分流壁の間に設置される複数の第１のストッパ壁と、複数の第２の分流領域を形成するように、それぞれ第２の半環状周面における対応する分流壁の間に設置される複数の第２のストッパ壁とを有し、また、それらの第１の分流領域とそれらの第２の分流領域とは非対称的に配置される。
【０００７】
本発明の実施例において、第１のストッパ壁の各々には、二つの隣り合う第１の分流領域を連通させる溝を含む。
【０００８】
本発明の実施例において、上記溝は弧状の外形又は矩形状の外形を呈する。
【０００９】
本発明の実施例において、上記溝の底面が上記環状周面に平行し、且つ上記溝の二つの対向する側面が互いに平行する。
【００１０】
本発明の実施例において、回転電機の冷却構成は、入水孔及び出水孔を備え、スリーブに嵌着されるハウジングをさらに有し、入水孔及び出水孔が、それぞれ二つの第１の分流領域に対応してハウジングの両端に設置される。
【００１１】
本発明の実施例において、入水孔に対応する第１の分流領域の流路数は、出水孔に対応する第１の分流領域の流路数より多い。
【００１２】
本発明の実施例において、入水孔に対応する第１の分流領域の流路数は、少なくとも出水孔に対応する第１の分流領域の流路数の１．５倍である。
【００１３】
本発明の実施例において、溝の幅は、少なくとも流路の幅の２倍である。
【００１４】
本発明の実施例において、流路の深さは、少なくとも溝の深さの２倍である。
【００１５】
要するに、本発明に係る回転電機の冷却構成は、非対称的に配置される第１の分流領域と第２の分流領域により、交差の経路で流れる冷却媒体を提供することにより、回転電機の放熱効率を向上させる。なお、各第１の分流領域における逓減型流路設計により冷却媒体の出口での流速と熱対流係数を向上させて、出口での放熱効果を強化させ、モータ全体の放熱をより均一させる。
【図面の簡単な説明】
【００１６】
【図１】本発明の第１の実施例における回転電機の冷却構成の斜視図である。
【図２】本発明の第１の実施例における回転電機のスリーブの分解図である。
【図３】本発明の第１の実施例における回転電機のスリーブの第１の半環状周面における前面図である。
【図４】本発明の第１の実施例における回転電機のスリーブの第２の半環状周面における前面図である。
【図５】本発明の第１の実施例における回転電機のスリーブにおける第１の分流領域と第２の分流領域を説明する模式図である。
【図６】図１の６−６方向に沿う断面図である。
【図７Ａ】本発明の第１の実施例における回転電機のスリーブにおける溝の構成を示す模式図である。
【図７Ｂ】本発明の他の溝の実施例の構成を示す模式図である。
【図７Ｃ】本発明の他の溝の実施例の構成を示す模式図である。
【図８Ａ】本発明の第１の実施例における回転電機の冷却構成における溝の幅と深さの構成を示す模式図である。
【図８Ｂ】本発明の第１の実施例における回転電機の冷却構成における流路の幅と深さの構成を示す模式図である。
【図９】本発明における溝と流路の幅との比率と降下電圧及び温度との関係グラフである。
【図１０】本発明における溝と流路の深さとの比率と降下電圧及び温度との関係グラフである。
【発明を実施するための形態】
【００１７】
まず、図１〜図６を参照すると、本発明の第１の実施例において提供される回転電機の冷却構成は、スリーブ（１０）、複数の分流壁（２０）、複数の第１のストッパ壁（４０）及び複数の第２のストッパ壁（５０）を備える。
【００１８】
スリーブ（１０）は、第１の半環状周面（１２）及び第２の半環状周面（１３）を備える環状周面（１１）を有し、第１の半環状周面（１２）と第２の半環状周面（１３）とが対称的に配置される。分流壁（２０）は、複数の流路（３０）を形成するように、互いに平行してスリーブ（１０）の環状周面（１１）に配置される。
【００１９】
第１のストッパ壁（４０）は、それぞれ複数の第１の分流領域（４２）を形成するように第１の半環状周面（１２）における対応する分流壁（２０）の間に設置され、第２のストッパ壁（５０）は、それぞれ複数の第２の分流領域（５２）を形成するように、第２の半環状周面（１３）における対応する分流壁（２０）の間に設置される。第１の半環状周面（１２）に配置される第１の分流領域（４２）と第２の半環状周面（１３）に配置される第２の分流領域（５２）とが非対称的に配置される。
【００２０】
本実施例において、回転電機の冷却構成は、入水孔（６１）及び出水孔（６２）を備え、上記スリーブ（１０）に嵌着されるハウジング（６０）をさらに有し、入水孔（６１）及び出水孔（６２）が、それぞれ二つの第１の分流領域（４２）に対応してハウジング（６０）の両端に設置される。第１の半環状周面（１２）に四つの第１の分流領域（４２）が配置され、第１の分流領域（４２）の各々は、それらに含まれる流路数が、入水孔（６１）から出水孔（６２）への方向に低減するように設計される。具体的に、入水孔（６１）に対応する第１の分流領域（４２）は六つの流路（３０）を有するが、その隣り合う第１の分流領域（４２）は五つの流路（３０）を有する。出水孔（６２）に対応する第１の分流領域（４２）は二つの流路（３０）を有するが、その隣り合う第１の分流領域（４２）は三つの流路（３０）を有する。しかしながら、本実施例における流路数は単なる例示であり、入水孔（６１）に対応する第１の分流領域（４２）の流路数が、少なくとも出水孔（６２）に対応する第１の分流領域（４２）の流路数の１．５倍であることは、設計原則である。
【００２１】
以上のように、本発明の第１の実施例において提供される回転電機の冷却構成は、非対称的に配置される第１の分流領域（４２）及び第２の分流領域（５２）により、交差の経路で流れる冷却媒体を提供するので、従来技術における連続な流路設計と比べると、放熱効率が良い。なお、第１の分流領域（４２）の各々は、逓減型流路設計により、入口での流速が遅く熱対流係数が低いが、出口での流速が早く熱対流係数が高いので、出口での放熱効果を強化させ、モータ全体の放熱をより均一させる。
【００２２】
図７A〜図７Cを参照すると、第１のストッパ壁（４０）における異なる溝（４１）の実施例をそれぞれ示している。本実施例の第１の分流領域（４２）における第１のストッパ壁（４０）の各々は、連通する二つの隣り合う第１の分流領域（４２）における溝（４１）を備えるので、第１のストッパ壁（４０）での冷却媒体による乱流を回避して、流路圧損を低下させる目的を達成させる。図7Aに示す実施例において、溝（４１）の底面が、環状周面（１１）に平行し、且つその溝（４１）の二つの対向する側面が互いに平行する。図7Bに示す実施例において、溝（４１）は、弧状の外形を呈する。図7Cに示す実施例において、溝（４１）は、矩形状の外形を呈する。しかしながら、本発明に係る溝（４１）は、上記実施例に制限されてなく、その連通面積が、目的とする流路圧損の低下程度に依存する。
【００２３】
図８〜図１０を参照すると、図８Aと図８Bは、それぞれ本発明の第１の実施例における溝（４１）の幅（W１）と深さ（D１）及び流路（３０）の幅（W２）と深さ（D２）を示し、図９は、溝（４１）の幅（W１）と流路（３０）の幅（W２）との比率と降下電圧及び温度との関係グラフであり、図１０は、溝（４１）の深さ（D１）と流路（３０）の深さ（D２）との比率と降下電圧及び温度との関係グラフである。溝（４１）の幅（W１）と流路（３０）の幅（W２）との比率が２〜４倍の間にある場合、流路内の圧損を低減させて好適な放熱効果を得るが、溝（４１）の深さ（D１）と流路（３０）の深さ（D２）との比率が０.１〜０.５倍の間にある場合も、流路内の圧損を低減させて好適な放熱効果を得る。
【００２４】
上記流路構成設計の説明により、本発明に係る回転電機の冷却構成は、以下のような主要な効果が達成される。
【００２５】
１.     従来技術における連続な流路設計には、長距離の冷却経路による圧力損失が増加して冷却効率が低下することに対して、本発明に係る回転電機の冷却構成には、非対称的に配置される第１の分流領域（４２）及び第２の分流領域（５２）により、交差の経路で流れる冷却媒体を提供することにより、回転電機の放熱効率を向上させる。なお、第１の分流領域（４２）の各々は、逓減型流路設計により冷却媒体の出口での流速と熱対流係数を向上させて、出口での放熱効果を強化させ、モータ全体の放熱をより均一させる。
【００２６】
２.     本発明における第１のストッパ壁（４０）は、連通する二つの隣り合う第１の分流領域（４２）における溝（４１）により、第１のストッパ壁（４０）での冷却媒体による乱流を回避して、流路圧損を低下させる目的を達成させる。なお、溝（４１）と流路（３０）とのアスペクト比を最適に設計することにより、二つの隣り合う第１の分流領域（４２）の連通面積及び流路（３０）の通路面積を制御して、流路内の圧損を低下させ好適な放熱効果を達成させる。
【図１】
2020014354.tif 000003
【図２】
2020014354.tif 000004
【図３】
2020014354.tif 000005
【図４】
2020014354.tif 000006
【図５】
2020014354.tif 000007
【図６】
2020014354.tif 000008
【図７Ａ】
2020014354.tif 000009
【図７Ｂ】
2020014354.tif 000010
【図７Ｃ】
2020014354.tif 000011
【図８Ａ】
2020014354.tif 000012
【図８Ｂ】
2020014354.tif 000013
【図９】
2020014354.tif 000014
【図１０】
2020014354.tif 000015
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
第１の半環状周面と第２の半環状周面を備える環状周面を有するスリーブと、
複数の流路を形成するように、互いに平行して前記スリーブの前記環状周面に設置される複数の分流壁と、
複数の第１の分流領域を形成するように、それぞれ前記第１の半環状周面における対応する前記分流壁の間に設置される複数の第１のストッパ壁と、
複数の第２の分流領域を形成するように、それぞれ前記第２の半環状周面における対応する前記分流壁の間に設置される複数の第２のストッパ壁と、を有し、
また、前記第１の分流領域と前記第２の分流領域とは非対称的に配置され、
入水孔及び出水孔を備え、前記スリーブに嵌着されるハウジングをさらに有し、前記入水孔及び前記出水孔が、それぞれ二つの第１の分流領域に対応して前記ハウジングの両端に設置され、
前記入水孔に対応する前記第１の分流領域の流路数は、前記出水孔に対応する前記第１の分流領域の流路数より多い回転電機の冷却構成。
【請求項２】
前記第１のストッパ壁の各々は、二つの隣り合う第１の分流領域を連通させる溝を含む請求項１に記載の回転電機の冷却構成。
【請求項３】
前記溝は、弧状の外形を呈する請求項2に記載の回転電機の冷却構成。
【請求項４】
前記溝は、矩形状の外形を呈する請求項2に記載の回転電機の冷却構成。
【請求項５】
前記溝の底面が前記環状周面に平行し、且つ前記溝の二つの対向する側面が互いに平行する請求項2に記載の回転電機の冷却構成。
【請求項６】
前記入水孔に対応する前記第１の分流領域の流路数は、少なくとも前記出水孔に対応する前記第１の分流領域の流路数の１．５倍である請求項１に記載の回転電機の冷却構成。
【請求項７】
前記溝の幅は、少なくとも前記流路の幅の２倍である請求項2に記載の回転電機の冷却構成，。
【請求項８】
前記流路の深さは、少なくとも前記溝の深さの２倍である請求項2に記載の回転電機の冷却構成。